(57)【特許請求の範囲】
【請求項１】
前部壁（１０）、後部壁（１１）、２つの側部壁（１２、１３）、さらに上部端部壁（１７）と下部底部壁（１８）の形成のため、パック内容物を包囲し、折り曲げ可能な包装材料から製造される少なくとも１つのブランクを備える、シガレット用の煙草製品パックであって、以下の特徴を有する。
ａ）上部端部壁（１７）および／または下部底部壁（１８）に隣接して、多数層から作られる円周状の材料ストリップ（３１）が、前部壁（１０）、後部壁（１１）、および側部壁（１２、１３）の区域に形成される。
ｂ）材料ストリップ（３１）は、ブランクのＺ字状折り曲げ構造によりＺ字状折り曲げストリップ（３７）として構成される。
ｃ）直立した側部壁（１３）は、部分的に重なり合う折り曲げタブである、内方側部タブ（１４）及び外方側部タブ（１５）から構成されている。
ｄ）側部タブ（１４、１５）は、互いに接着剤により結合されている。
ｅ）材料ストリップ（３１）は、側部壁（１３）の区域に延出し、側部タブ（１４、１５）により重なり部を形成している。
ｆ）材料ストリップ（３１）の少なくとも１つの層は、重なり部の区域に切り欠き部（４３）を備えている。
ｇ）切り欠き部（４３）は、材料ストリップ（３１）の内側の脚部（３９）の自由縁部に形成され、材料ストリップ（３１）の外側の層により覆われている。
【請求項２】
切り欠き部（４３）は、ブランクの自由縁部に向かって開いており、Ｕ字状、またはＶ字状の打ち抜き部により形成されていることを特徴とする、請求項１に記載された煙草製品パック。
【請求項３】
請求項１に記載された煙草製品パックであって、以下の特徴を有する。
ａ）切り欠き部（４３）は、材料ストリップ(３１)の少なくとも２つの層の区域である、Ｚ字状折り曲げストリップ（３７）の２つの脚部（３８、３９）の区域に延出している。
ｂ）切り欠き部（４３）は、外方側部タブ（１５）の区域に適用される。
ｃ）切り欠き部（４３）、または切り欠き部を備える２つの脚部（３８、３９）は、外側を材料の層である側部タブ（１５）により覆われる。
【請求項４】
材料ストリップ（３１）の重なり区域である、外方側部タブ（１５）及び内方側部タブ（１４）は、切り欠き部（４３）の区域において、互いに、接着剤である、接着剤ビードにより結合されていることを特徴とする、請求項１に記載された煙草製品パック。
【発明の詳細な説明】
【０００１】
この発明は、パックの内容物を包囲し、紙、カードボード等から製造される少なくとも１つのブランクと、ブランクの折り曲げタブ、特に、互いに(部分的に)接着剤によって接続される底部折り曲げタブとを備え、更に、(頂部)端部壁および／または底部壁に隣接してブランクのＺ字状折り曲げ部が形成される特に、シガレット用の煙草製品用パックに関する。
【０００２】
この発明は主としてソフトカートンタイプ、すなわち、好ましくは、紙またはこれに比肩すべき包装材料製の単一ブランクを備えるシガレットパックの改良された設計に関する。そのようなパックの寸法的安定性を増強するために、パックは、少なくとも端部壁と隣接する区域に、包囲用の複層の折り曲げ部、すなわち、特にＺ字状折り曲げ部(ＵＳ特許第４，５０８，２１８号)が具備される。加えて、そのようなシガレットパックは、底部壁の区域に、材料補強部、すなわち、２重層の材料ストリップを備えることが可能であり、前記ストリップから、対応して２重層に形成される底部壁のベースの折り曲げタブが形成される(ＵＳ特許第５，７６２，１８６号)。
【０００３】
この発明は、特に前記の設計をなすシガレットパックの改良を取り扱う。
【０００４】
この発明の目的は、前記パックおよびこれと同様なデザインのパックを改善して、その外観を改良するとともにパックの内容物の品質保証を改良することである。
【０００５】
この目的を達成するために、この発明のパックは、接着剤によって互いに接続された折り曲げタブとパックの内容物との間に、パックの内容物に接着剤が転着することがないように、カバータブが設けられる点に特徴を有する。
【０００６】
この発明は、パックの折り曲げタブの接着、特に、底部壁の底部折り曲げタブの接着が、接着剤の粒子がパックの内容物、特に、パックの底部壁に隣接するシガレットの区域に転着される危険を有するという所見に基づく。この発明のカバータブは、シガレットの端部表面に接着剤が転着しないようにシガレットを保護する。
【０００７】
有利なことに、底部壁の区域におけるカバータブは、ブランクの一部、すなわち、正確に言えば、通常は内側に配置される底部コーナータブの連続部
および／または補足部または付属部として底部壁に接続されていることが好ましい。前記底部コーナータブはパックの幅の狭い直立した側部壁の連続部である。
【０００８】
ＵＳ特許第５，７６２，１８６号に類似のパックにあっては、この発明は、カバータブが底部壁における２重層をなす材料ストリップの一部であるが、この区域におけるパックの補強部には含まれないように実施される。それよりもむしろ、対応する打ち抜き切断部が底部コーナータブを提供し、その長さが、２重層の態様をなして折り曲げようとする材料ストリップの幅にタイプする。完成時の状態のパックにおいては、前記の延出した底部コーナータブが底部壁の内側と向き合って接し、カバータブを形成する。
【０００９】
特に、端部壁に隣接して形成されるＺ字状折り曲げ部の場合は、重なりのために、側部壁を形成するための側部タブの重なり部の区域に、複数の層が作り出される。この発明によれば、Ｚ字状折り曲げ部および／またはその重なり部の区域に、少なくとも層の１つの区域に、１つの切り欠き部が設けられ、１つの局部的な境界側層の減少部を創出する。これらの層は有利なことに、この区域において接着剤によって接続されるので、パックの正確な形成が保証される。
【００１０】
構造の別の細部とそのような(シガレット)パックの製造は添付図面を参照しつつ以下に説明する。
【００１１】
添付図面に説明する細部は、特に、ＵＳ特許第４，５０８，２１８号およびＵＳ特許第５，７６２，１８６号にしたがって設計される(シガレット)パックの更なる開発と改良に関する。
【００１２】
図１に斜視図で描かれたソフトカートンタイプの(シガレット)パックの改変設計は、一繋がりのブランクを備える(図７、図８)。この長方形のブランクは、前部壁１０、後部壁１１、両側部壁１２、１３を製造するためにパックの内容物(シガレットのグループ)を包囲する。側部壁１３は、互いに部分的に重なり合う２つの境界側の側部タブ１４、１５から形成され、幅の広い方の側部タブが重ねたとき外側になるように配置され、事実上側部タブ１３の幅全体と重なる。側部タブ１４、１５は接着剤によって、現行例では、複数個の接着剤スポット１６によって互いに接続される。
【００１３】
上部においては、ブランクが端部壁１７を形成する。底部壁１８はその反対側に配置される。端部壁１７と底部壁１８は、互いに部分的に重なり合う複数の折り曲げタブによって形成される。底部壁１８は、底部折り曲げタブすなわち底部長手方向タブ１９、２０と底部コーナータブ２１、２２を備える。それぞれ、台形をなす底部長手方向タブ１９、２０は、前部壁１０と後部壁１１に接続されるか、あるいは、これらと連続する。底部コーナータブ２１、２２は、底部壁１８の内側を形成し、その一方で底部長手方向タブ１９、２０は、接着剤によって、例えば、複数の接着剤スポット等によって互いに接続される。
【００１４】
ブランクまたはパックの底部側区域、すなわち、折り曲げストリップ２４は、２重層の形態を取る。この折り曲げストリップ２４は、２つのサブストリップ２５、２６を有する。重ねたとき外側になるサブストリップ２６は、自由な境界側に形成され、２重層をなす折り曲げストリップ２４を形成するために折り曲げ線２７に沿って、その上に折り重ねられる。説明した底部タブは２重層構造を取るこの折り曲げストリップ２４から形成される。
【００１５】
底部壁１８の内側、詳しくは、底部壁１８とパックの内容物との間に、カバータブが形成される。このカバータブは、底部折り曲げタブ同士を接着している間に、パックの内容物に接着剤の粒子が転着しないように保護する。
【００１６】
図示の模範具体例においては、このカバータブは、底部タブ、具体的には、底部コーナータブ２１によって形成され、これは側部壁１２に接続される。この目的で、底部コーナータブ２１は２重層構造を取らない。それよりも、底部コーナータブ２１は、折り曲げストリップ２４の幅によって決定される長さのままで残留する。言い換えれば、底部コーナータブは、必須要件として、底部コーナータブ２２の長さの２倍である。このブランクは、この目的のために、打ち抜き線２８、２９によって調製される。これらは、底部コーナータブ２１の横方向境界に、詳しくは折り曲げストリップ２４の区域において、すなわち、折り曲げ線２７まで延出する。サブストリップ２６の区域は、底部長手方向タブ１９、２０と底部コーナータブ２２を形成するためにこうして折り重ねられるが、その他方において、底部コーナータブ２１は、折り曲げられない状態のまま残るので長い。現模範具体例においては、折り曲げストリップ２４の自由な側に設けられる境界ストリップ３０を介して余分な長さが得られる。完成状態のパックにあっては、前記の境界ストリップは、内側の補強部として前部壁１０、後部壁１１および両側部壁１２、１３の区域に延出する(図２参照)。
【００１７】
側部壁１２の長手方向に対応して寸法が決められる底部コーナータブ２１は、底部壁１８の内側に沿って反対側の底部コーナータブ２２まで、あるいはこれを越えて延出する(図２、図３参照)。したがって、パックの内容物は、外側において接する底部長手方向タブ１９、２０との関連において底部コーナータブ２１、２２によって、その面積全体に亘ってカバーされる。端部壁１７に用いられる方法と似た方法を用いて、前記底部長手方向タブが折り曲げられ、互いに接続される。底部折り曲げタブすなわち底部長手方向タブ１９、２０の接着は、図２、図３の位置において有利に行われる。パックの内容物、すなわち、シガレットの端部に面する側は、単層の底部コーナータブ２１および隣接する底部コーナータブ２２によってすっかりカバーされる。
【００１８】
この発明の別の特徴は、同様に、ブランクの多層形成構造の区域におけるパックの構造に関する。現模範具体例においては、これは、端部壁１７に隣接する、および／または、端部壁１７の真下の包囲多層構造材料ストリップ３１である。前記材料ストリップは、Ｚ字状折り曲げ構造として形成される。
【００１９】
この目的で、ブランク(図７)は、その端部区域に、底部壁１８の構造と類似した態様において、端部折り曲げタブの形成に役立つ折り曲げストリップ３２を備える。これは、したがって、端部長手方向タブ３３、３４および幅の狭い端部コーナータブ３５、３６の形成に関する。端部コーナータブ３６は、部分的に２重層構造、すなわち、側部壁１３と類似の態様をなす。
【００２０】
付加的な材料ストリップ、すなわち、Ｚ字状折り曲げストリップ３７は、折り曲げストリップ３２と前部壁１０、後部壁１１等を備える区域との間に形成される。前記Ｚ字状折り曲げストリップは、２つのサブストリップすなわちＺ字状の折り曲げ脚部３８、３９のためのサブストリップを備える。これらのストリップ状脚部３８、３９は、Ｚ字状折り曲げ縁部４０によって、互いから分離され、折り曲げ縁部４１によって折り曲げストリップ３２から分離され、また、別の折り曲げ縁部４２によって、前部壁１０、後部壁１１等から分離される。前記縁部は、それぞれ、Ｚ字状折り曲げが完成した状態では、材料の転向縁部を形成する(図５参照)。
【００２１】
側部壁１３の区域においては、材料ストリップ３１の構造は、材料層の蓄積が発生する結果となる(図６参照)。このことは、この区域において、折り曲げ部が望ましくない開口を行う結果となる可能性がある。この影響に対抗するために、材料層が重なり区域から除去されるので、重なり層の総数が局部的に減少する。この目的で、好ましくは内側層、すなわち、外側において覆われる層に切り欠き部、穴、打ち抜き部等が具備される。
【００２２】
現模範具体例においては、切り欠き部４３が、Ｚ字状折り曲げストリップ３７の区域(図７)において、境界側に設けられ、切り欠き部は、自由な境界側に向かって開く。この切り欠き部は、Ｖ字状の形態をなし、Ｚ字状ストリップ３７の多少とも中央部に、すなわち、Ｚ字状折り曲げ縁部４０の両側に延出する(図７)。
【００２３】
パックの製造工程においては、先ず最初に、そうでなければ平坦なブランクであったであろう区域にＺ状折り曲げ部が形成される(図８参照)。その後、パックの内容物は、こうして調製されたブランク内に包み込まれ、材料の重なり部が側部壁１３の区域に作り出される。切り欠き部４３が、(外側の)側部タブ１５に向かうＺ字状折り曲げストリップ３７の区域に設けられる。パックが完成した状態にあるとき、切り欠き部４３は、内側のＺ字状折り曲げ部(図６)を介して、側部タブ１５の上部区域によって外側で折り重ねられる。切り欠き部４３の構造と配置は、側部タブ１４の真下において、詳しくは、脚部３８、３９(図６、７)の区域において局部的な材料および／または層の減少を生じる。
【００２４】
設けられた切り欠き部４３の区域において、材料層が接着剤によって互いに接続されたとき、多層の材料ストリップ３１の複数の端部の重層部の区域に、特に正確で耐久性を備えた接続部が設けられる。現具体例においては、接着剤のスポット４４が切り欠き部４３の区域に配置される(図６)。(外側の)側部タブ１５は、こうして、切り欠き部４３を介して直接内側の側部タブ１４に接続される。図示の模範具体例(図８)においては、接着剤スポット４４の配置は、前記スポットが、切り欠き部４３を区画する(２重の)縁部４５に関連して中央部に位置するように選択される。同時に接着剤スポット４４を介して、外側の側部タブ１５もまた、Ｚ字状折り曲げストリップ３７の向き合う脚部に接続される。
【００２５】
以上説明したブランクは、横断方向に向かって切断することによって、連続材料ウエブから有利に分離され、Ｚ字状折り曲げストリップ３７は、ウエブの長手方向に有利に延出する。この場合、切り欠き部４３は、対応する切断部材の形状によって、ブランクを横断方向に切断することによって、またはこの切断に伴って設けられる。それぞれの後続ブランクにおいては、この切断が、前記切り欠き部４３の形状に対応し、Ｚ字状折り曲げストリップ３７の連続部をなす突起部またはトング４６(図７)を作り出す。このトング４６は、パックが完成した状態では内側に名って見えなくなる。
【００２６】
参照符号一覧
１０…前部壁                      ２９…打ち抜き線
１１…後部壁                      ３０…境界ストリップ
１２…側部壁                      ３１…材料ストリップ
１３…側部壁                      ３２…折り曲げストリップ
１４…側部タブ                    ３３…端部長手方向タブ
１５…側部タブ                    ３４…端部長手方向タブ
１６…接着剤スポット              ３５…端部コーナータブ
１７…端部壁                      ３６…端部コーナータブ
１８…底部壁                      ３７…Ｚ字状折り曲げストリップ
１９…底部長手方向タブ            ３８…脚部
２０…底部長手方向タブ            ３９…脚部
２１…底部コーナータブ            ４０…Ｚ字状縁部
２２…底部コーナータブ            ４１…折り曲げ縁部
２４…折り曲げストリップ          ４２…折り曲げ縁部
２５…サブストリップ              ４３…切り欠き部
２６…サブストリップ              ４４…接着剤スポット
２７…折り曲げ線                  ４５…縁部
２８…打ち抜き線                  ４６…トング
【図面の簡単な説明】
【図１】  改変されたソフトカートンタイプのシガレットパックの斜視図。
【図２】  斜め下方から眺めた底部壁を備える図１のパック。
【図３】  図１の矢印III方向から眺めた底面図における底部壁。
【図４】  ソフトカートンタイプパックの上部端部側区域の側面図。
【図５】  図４のV‐V断面に沿う垂直断面図。
【図６】  図５の極端な拡大図。
【図７】  展開状態で示す図１〜図６のパック用のブランク。
【図８】  中間的な折り曲げ位置における図７のブランク。
【図１】
0004350900.tif 000002
【図２】
0004350900.tif 000003
【図３】
0004350900.tif 000004
【図４】
0004350900.tif 000005
【図５】
0004350900.tif 000006
【図６】
0004350900.tif 000007
【図７】
0004350900.tif 000008
【図８】
0004350900.tif 000009